(57)【特許請求の範囲】
【請求項１】
それぞれ自機が属するグループを示すグループデータを記憶する複数のアンプ装置と通信し、該複数のアンプ装置を制御するアンプ制御装置であって、
制御対象とする各アンプ装置の属するグループを規定するグループ管理データを記憶する記憶手段と、
ユーザの操作に従って前記グループ管理データを編集する編集手段と、
ユーザの操作に従って、前記各アンプ装置が記憶するグループデータと前記記憶手段に記憶しているグループ管理データとの整合を取る整合手段とを備え、
前記整合手段が、
前記整合を行う場合に、自機から通信可能なアンプ装置から該アンプ装置が記憶するグループデータを取得するグループデータ取得手段と、
該グループ情報取得手段が取得したグループデータと、前記記憶手段に記憶しているグループ管理データとを比較する比較手段とを備え、
該比較手段による比較結果が一部でも不一致であった場合に、ユーザの指示に応じた整合方式により前記整合を取る手段であって、
該整合方式には少なくとも、
（ａ）前記グループデータ取得手段がグループデータを取得した各アンプ装置に対し、前記記憶手段に記憶しているグループ管理データのうち、該アンプ装置と対応する部分のデータを送信して、該アンプ装置のグループデータとして設定させる制御装置優先方式と、
（ｂ）前記グループデータ取得手段が取得した各アンプ装置のグループデータの内容に従って前記グループ管理データを更新するアンプ装置優先方式と
を含むことを特徴とするアンプ制御装置。
【請求項２】
請求項１に記載のアンプ制御装置と、該アンプ制御装置と通信可能であってそれぞれ自機が属するグループを示すグループデータを記憶する複数のアンプ装置とを備えたアンプシステム。
【請求項３】
請求項２に記載のアンプシステムであって、
前記アンプ制御装置の記憶手段が記憶する前記グループ管理データは、前記制御対象とする各アンプ装置が属するグループのＩＤ及び、各グループのＩＤと対応するグループの名称のデータを含み、
前記各アンプ装置が記憶するグループデータは、該アンプ装置が属するグループのＩＤを含み、
前記グループの名称は、前記アンプ制御装置が一元管理することを特徴とするアンプシステム。
【請求項４】
コンピュータを、それぞれ自機が属するグループを示すグループデータを記憶する複数のアンプ装置と通信し、該複数のアンプ装置を制御するアンプ制御装置として機能させるためのプログラムであって、
前記コンピュータを、
制御対象とする各アンプ装置の属するグループを規定するグループ管理データを記憶する記憶手段と、
ユーザの操作に従って前記グループ管理データを編集する編集手段と、
ユーザの操作に従って、前記各アンプ装置が記憶するグループデータと前記記憶手段に記憶しているグループ管理データとの整合を取る整合手段として機能させ、
前記整合手段が、
前記整合を行う場合に、自機から通信可能なアンプ装置から該アンプ装置が記憶するグループデータを取得するグループデータ取得手段と、
該グループ情報取得手段が取得したグループデータと、前記記憶手段に記憶しているグループ管理データとを比較する比較手段とを備え、
該比較手段による比較結果が一部でも不一致であった場合に、ユーザの指示に応じた整合方式により前記整合を取る手段であって、
該整合方式には少なくとも、
（ａ）前記グループデータ取得手段がグループデータを取得した各アンプ装置に対し、前記記憶手段に記憶しているグループ管理データのうち、該アンプ装置と対応する部分のデータを送信して、該アンプ装置のグループデータとして設定させる制御装置優先方式と、
（ｂ）前記グループデータ取得手段が取得した各アンプ装置のグループデータの内容に従って前記グループ管理データを更新するアンプ装置優先方式と
を含むことを特徴とするプログラム。
【発明の詳細な説明】
【技術分野】
【０００１】
この発明は、複数のアンプ装置と通信し、その複数のアンプ装置をグループ分けして制御するアンプ制御装置、このようなアンプ制御装置と制御対象のアンプ装置とを備えたアンプシステム、及びコンピュータを上記のようなアンプ制御装置として機能させるためのプログラムに関する。
【背景技術】
【０００２】
従来から、ＰＣをアンプ制御装置として利用し、アンプ（アンプリファイア）とネットワークを介して接続して、そのＰＣから多数のアンプ装置を集中制御及び集中管理できるようにしたアンプ制御システムが知られている。
コンサート会場や劇場のように、多数のスピーカを用いる環境では、それに伴って、多数のアンプも用いることになるが、これをＰＣから集中制御することができると、アンプの場所まで行かなくても各アンプの動作を設定できるため、設定作業を効率的に行うことができる。
【０００３】
また、制御装置において、制御対象のアンプあるいはアンプの信号処理チャンネルをグループ化し、そのグループ毎にパラメータの値を１画面に集めてまとめて参照できるようにすることも行われている。
このようなアンプ制御システムについては、例えば非特許文献１に記載されている。
【非特許文献１】「ＮｅｔｗｏｒｋＡｍｐＭａｎａｇｅｒ  取扱説明書」，ヤマハ株式会社，２００３年（特にｐ．３２〜３４）
【発明の開示】
【発明が解決しようとする課題】
【０００４】
ところで、上述した従来のアンプ制御システムにおいては、アンプのグループ化は、制御装置においてのみ設定可能であった。そして、これに対し、アンプ側でもある程度はグループの設定を行いたいという要求があった。
しかしながら、アンプ側でグループの設定を行えるようにしてしまうと、アンプ制御装置と接続していない状態でグループの設定が変更されてしまう場合がある。そしてこの場合、アンプ制御装置側のグループ設定のデータと、各アンプにおけるグループ設定のデータとが矛盾してしまい、アンプの制御に支障を来たすことになるという問題があった。
また、アンプ制御装置として利用するＰＣをいろいろな施設に持ち運んでその場所のアンプを制御しようとする場合に、ＰＣ側でグループの設定を一から行うのは面倒であるという問題もあった。
この発明は、これらのような問題を解決し、アンプ制御装置から多数のアンプを集中制御する場合でも、アンプのグループ化について、自由度の高い設定を少ない労力で行えるようにすることを目的とする。
【課題を解決するための手段】
【０００５】
この発明は、上記の目的を達成するため、この発明のアンプ制御装置は、それぞれ自機が属するグループを示すグループデータを記憶する複数のアンプ装置と通信し、その複数のアンプ装置を制御するアンプ制御装置において、制御対象とする各アンプ装置の属するグループを規定するグループ管理データを記憶する記憶手段と、ユーザの操作に従って上記グループ管理データを編集する編集手段と、ユーザの操作に従って、上記各アンプ装置が記憶するグループデータと上記記憶手段に記憶しているグループ管理データとの整合を取る整合手段とを設け、上記整合手段を、上記整合を行う場合に、自機から通信可能なアンプ装置からそのアンプ装置が記憶するグループデータを取得するグループデータ取得手段と、そのグループ情報取得手段が取得したグループデータと、上記記憶手段に記憶しているグループ管理データとを比較する比較手段とを備え、その比較手段による比較結果が一部でも不一致であった場合に、ユーザの指示に応じた整合方式により上記整合を取る手段とし、その整合方式には少なくとも、（ａ）上記グループデータ取得手段がグループデータを取得した各アンプ装置に対し、上記記憶手段に記憶しているグループ管理データのうち、そのアンプ装置と対応する部分のデータを送信して、そのアンプ装置のグループデータとして設定させる制御装置優先方式と、ｂ）上記グループデータ取得手段が取得した各アンプ装置のグループデータの内容に従って上記グループ管理データを更新するアンプ装置優先方式とを含めるようにした。
【０００６】
また、この発明のアンプシステムは、上記のアンプ制御装置と、そのアンプ制御装置と通信可能であってそれぞれ自機が属するグループを示すグループデータを記憶する複数のアンプ装置とを備えたアンプシステムである。
このようなアンプシステムにおいて、上記アンプ制御装置の記憶手段が記憶する上記グループ管理データに、上記制御対象とする各アンプ装置が属するグループのＩＤ及び、各グループのＩＤと対応するグループの名称のデータを含め、上記各アンプ装置が記憶するグループデータに、そのアンプ装置が属するグループのＩＤを含め、上記グループの名称を、上記アンプ制御装置が一元管理するようにするとよい。
また、この発明のプログラムは、コンピュータを上記のアンプ制御装置として機能させるためのプログラムである。
【発明の効果】
【０００７】
以上のようなこの発明のアンプ制御装置及びアンプシステムによれば、アンプ制御装置から多数のアンプを集中制御する場合でも、アンプのグループ化について、自由度の高い設定を少ない労力で行えるようにすることを目的とする。
また、この発明のプログラムによれば、コンピュータを上記のようなアンプ制御装置として機能させ、同様な効果を得ることができる。
【発明を実施するための最良の形態】
【０００８】
以下、この発明を実施するための最良の形態を図面に基づいて具体的に説明する。
まず、図１に、この発明のアンプ制御装置の実施形態であるＰＣを含む、アンプシステムの構成を示す。
図１に示すように、このアンプシステムは、ＰＣ１０，アンプ２０ａ，２０ｂ，アンプ管理装置２５，アンプ２６ａ，２６ｂ，ＳＰ（スピーカ）３０ａ〜３０ｈ，ミキサ４０，マイク５０ａ〜５０ｎを備えている。そして、これらのうちＰＣ１０とアンプ２０ａ〜２０ｂとアンプ管理装置２５とミキサ４０は、イーサネット（登録商標）方式のネットワーク６０によって接続され、相互に通信可能である。
【０００９】
また、アンプ管理装置２５は、アンプ２６ａ，２６ｂとそれぞれ図に一点鎖線で示すシリアル通信ケーブルで接続され、相互に通信可能である。
また、マイク５０ａ〜５０ｎと、ミキサ４０と、アンプ２０ａ，２０ｂ及び２６ａ，２６ｂと、ＳＰ３０ａ〜３０ｈとは、図に破線で示すオーディオケーブルで接続され、図で上から下の向きにオーディオデータを伝送可能である。
【００１０】
そして、これらの各装置は、マイク５０ａ〜５０ｎで収音して得た音響信号をミキサ４０でミキシングし、その結果の出力音響信号をアンプ２０ａ，２０ｂ及び２６ａ，２６ｂで増幅してＳＰ３０ａ〜３０ｈに供給し、その出力音響信号に基づく発音を行わせる音響信号処理システムを形成している。
【００１１】
一方、ＰＣ１０は、アンプ２０ａ，２０ｂ及び２６ａ，２６ｂを制御するアンプ制御装置である。そして、アンプ２０ａ，２０ｂとの間では、ネットワーク６０を介して各種コマンド等の制御データを送受信することにより、アンプ２０ａ，２０ｂが音響信号の処理に使用するパラメータの値を編集したり、アンプ２０ａ，２０ｂに各種の設定を行ったりすることができる。
【００１２】
また、アンプ２６ａ，２６ｂについては、これらの装置はネットワーク６０を介してＰＣ１０と直接通信し、その制御を受ける機能を持たない。そこで、アンプ２６ａ，２６ｂが音響信号の処理に使用するパラメータの値や、アンプ２６ａ，２６ｂが使用する設定内容を管理するアンプ管理装置２５を設けてこれをネットワーク６０に接続している。そして、ＰＣ１０は、アンプ管理装置２５に対して、アンプ２６ａ，２６ｂが使用するパラメータの値や設定の情報を要求したり、これらの内容を変更を要求したりすることにより、間接的にアンプ２６ａ，２６ｂの制御を行うようにしている。
【００１３】
またここでは、ＰＣ１０はミキサ４０を制御するミキサ制御装置としても機能し、ミキサ４０に対しても、パラメータの値の編集や、各種の設定を行うことができる。
そして、図１に示したアンプシステムのうち、ＰＣ１０、アンプ２０ａ，２０ｂ，２６ａ，２６ｂ及びアンプ管理装置２５の部分が、この実施形態の特徴に関連する部分である。他の装置については、公知のものを用いてシステムを構成することができる。
【００１４】
なお、以降の説明について、アンプ等を個体を特定せず指す場合には、「２０」等、アルファベットを付さない符号を用いる。また、以後の説明において、特に必要がない限りは、アンプに関して説明する場合、アンプ２０に関する内容を代表して説明し、アンプ２６については言及しない。しかし、図１のアンプシステムにおいて、アンプ２６ａ，２６ｂは、それぞれアンプ管理装置２５と一体となって、アンプ２０ａ，２０ｂと同様な機能を実現していると考えて差し支えない。
【００１５】
次に、図２に、図１に示したＰＣ１０のハードウェア構成を示す。
ＰＣ１０は、ハードウェアとしては公知のＰＣを用いて構成することができる。例えば、ＣＰＵ１０１，ＲＯＭ１０２，ＲＡＭ１０３，表示制御回路１０４，操作検出回路１０５，通信インタフェース（Ｉ／Ｆ）１０６，ＨＤＤ（ハードディスクドライブ）１０７を備え、これらがシステムバス１０８により接続された構成とすることができる。
【００１６】
そして、ＣＰＵ１０１に、ＲＯＭ１０２やＨＤＤ１０７に記憶されている適当なプログラムを実行させることにより、上述したアンプ制御装置及びミキサ制御装置としての機能を実現させることができる。
また、表示制御回路１０４は、ディスプレイ等の表示器１１１における表示を制御する回路であり、操作検出回路１０５は、キーボードやマウス等の操作子１１２における操作を検出する回路である。
【００１７】
ＰＣ１０は、これらの回路により、ユーザに情報を提示し、またユーザの操作を受け付けることができる。なお、表示器や操作子として、ＰＣ１０の外部のデバイスを利用するようにしてもよいことはもちろんである。
また、通信Ｉ／Ｆ１０６は、図１に示したネットワーク６０に接続してアンプ２０やミキサ４０を始めとする外部装置との間の通信を行うためのインタフェースである。
【００１８】
次に、図３に、図１に示したアンプ２０のハードウェア構成を示す。
図３に示すように、アンプ２０は、ＣＰＵ２０１，ＲＯＭ２０２，ＲＡＭ２０３，表示制御回路２０４，操作検出回路２０５，通信Ｉ／Ｆ２０６，オーディオ入力Ｉ／Ｆ２０７，ＤＳＰ（デジタル・シグナル・プロセッサ）２０８，ＤＡ変換部２０９，状態監視回路２１１を備えこれらがシステムバス２１２により接続されている。また、オーディオ入力Ｉ／Ｆ２０７，オーディオ出力Ｉ／Ｆ２０８，信号処理部２０９は、これとは別にオーディオ信号線によっても接続され、さらに、増幅回路２１０もオーディオ信号線に接続して設けている。
【００１９】
そして、ＣＰＵ２０１が、ＲＯＭ２０２に記憶されている適当なプログラムを実行することにより、各Ｉ／Ｆ２０６，２０７を介したデータ及び音響信号の送受信の制御、ＤＳＰ２０８による信号処理の制御、表示制御回路２０４，操作検出回路２０５による表示器２１３及び操作子２１４の制御等を行う。
【００２０】
ネットワークＩ／Ｆ２０６は、図１に示したネットワーク６０に接続してＰＣ１０を始めとする外部装置との間の通信を行うためのインタフェースである。
オーディオ入力Ｉ／Ｆ２０７は、ケーブルを接続して音響信号の入力を行うためのインタフェースである。なお、入力する音響信号は、デジタルのオーディオ波形データであっても、アナログ信号であってもよいが、アナログ信号を入力する場合、これをＡＤ変換してデジタル波形データとして入力する。
【００２１】
ＤＳＰ２０８は、オーディオ入力Ｉ／Ｆ２０７から供給される波形データに対し、位相調整、アッテネート（減衰）、レベル調整、出力オンオフ制御等の信号処理を行って出力する信号処理手段である。
ＤＡ変換部２０９は、ＤＳＰ２０８による処理後の波形データをアナログ音響信号に変換する。
【００２２】
増幅回路２１０は、ＤＡ変換部２０９が出力した音響信号の電流、電圧又は電力を増幅し、スピーカ３０の駆動に適した高出力のアナログ音響信号に変換してケーブルから出力する。
状態監視回路２１１は、増幅回路２１０の動作を監視し、ＣＰＵ２０１からその状態を把握できるようにするための回路である。
【００２３】
次に、図４に、アンプ管理装置２５のハードウェア構成を示す。
図４に示すように、アンプ管理装置２５は、ＣＰＵ２５１，フラッシュメモリ２５２，ＲＡＭ２５３，表示制御回路２５４，操作検出回路２５５，ネットワークＩ／Ｆ２５６，ＨＤＤ（ハードディスクドライブ）１０７を備え、これらがシステムバス１０８により接続された構成とすることができる。
【００２４】
そして、ＣＰＵ２５１が、フラッシュメモリ２５２に記憶されている適当なプログラムを実行することにより、ＰＣ１０からの要求に従い、アンプ２６を管理する機能を実現することができる。なお、アンプ管理装置２５は、ＰＣ１０と接続されない状態でも、単独でアンプ２６の管理を行うことができる。
【００２５】
フラッシュメモリ２５２は、不揮発性の記憶手段であり、ＣＰＵ２５１が実行するプログラムの他、管理する各アンプ２６につき、ＩＤ、グループ設定、信号処理パラメータ等を含む後述するアンプデータを記憶する。
また、表示制御回路２５４は、表示パネルやランプ等の表示器２６１における表示を制御する回路であり、操作検出回路２５５は、キーやノブ等の操作子２６２における操作を検出する回路である。
アンプＩ／Ｆ２５７は、管理するアンプ２６を接続するためのインタフェースである。
【００２６】
次に、ＰＣ１０におけるアンプ２０のグループ分けの設定方法について説明する。
まず、図５に、グループ分けの指示を受け付けるためのグループ設定画面の表示例を示す。
図５に示すグループ設定画面３００は、ＰＣ１０が表示器１１１に表示させるＧＵＩ（グラフィカル・ユーザ・インタフェース）であり、制御対象であるミキサ２０のグループ分けに関する設定操作を受け付けるための画面である。また、この画面の表示内容は、後述するプロジェクトデータに従って規定され、この画面においてグループの設定が変更された場合、その内容は直ちにプロジェクトデータに反映される。
【００２７】
そして、このグループ設定画面３００には、カテゴリタブ３０１，グループ構成表示部３１０，デバイスリスト表示部３２０を設けている。
このうちカテゴリタブ３０１は、グループ設定画面３００で設定するグループのカテゴリを選択するためのタブである。このアンプシステムについては、アンプ２０のグループ分けを複数種類規定可能であり、ここでは、「ラック（Rack）」、「フィードストラクチャ（Feed）」、「ユーザ定義（UD1）」の３つの種類を用意し、カテゴリタブ３０１として、これらに対応するタブを設けている。
【００２８】
なお、「ラック」は、アンプ２０を装置１台単位で分類するグループであり、「フィードストラクチャ」は、アンプ２０における出力ｃｈ（チャンネル）単位で分類するグループである。従って、「フィードストラクチャ」の場合、１台のアンプ２０内の複数の出力ｃｈが別々のグループに属する場合もある。「ユーザ定義」をどちらとするかは、ユーザが設定可能である。また、ユーザ定義のグループ分けを複数種類設けることもできる。
【００２９】
図５では、「ラック」のタブが選択された例を示しているが、グループ分けの操作は、「フィードストラクチャ」を含め、他の種類のグループ分けでも同様なものである。
グループ構成表示部３１０は、ＰＣ１０において階層的に定義されているグループ及びグループに属するアンプ（又はｃｈ）を、ツリー形式で表示する部分である。
【００３０】
最上位のエリアアイコン３１１を含むエントリは、後述するプロジェクトデータ１つで規定されるグループのセットであるエリアを示している。ここでは、ＰＣ１０は制御対象のアンプ２０全てを１セットのグループのいずれかに分けるので、エリアは１つのみである。しかし、制御対象のアンプ２０をＩＤやアドレス等で分類し、複数のエリアに分けて、そのそれぞれについてグループ分けを設定することも可能である。
【００３１】
また、グループアイコン３１２を含むエントリは、１つのグループを示す。ここでは、グループは３つの階層に設けることができる。例えば、図の例では、「Area-1」の直下の最上位の階層には「FOH」と「Monitor」と「Others」の３つのグループが設けられ、「FOH」の下位には「Stage_L」と「Stage_R」と「Operator」の３つのグループが設けられている。さらに、「Stage_L」の下位には、「001_Rack_#1」と「002_Rack_#2」の２つのグループが設けられている。
【００３２】
また、エリアアイコン３１１及びグループアイコン３１２には、対応する展開ボタン３１３が設けられており、このボタンをクリックして「−」の状態にすると、対応するアイコンより下位の内容を表示させることができる。また、「＋」の状態にすると、下位の内容を非表示にすることができる。
【００３３】
また、グループの下位に位置する、長方形のデバイスアイコン３１４を含むエントリは、そのグループに属するアンプ２０を示す。図５の例では、グループ「001_Rack_#1」に、「001 : 001 Tx6n」と「002 : 002 Tx6n」の２台のアンプ２０が属している。なお、この文字列のうち、コロンの前の数字は、グループ内の何番目の装置であるかを示し、コロンの後ろの数字は装置のＩＤを、その後ろの文字列は装置の名称（ここでは機種名を用いている）を示す。また、アンプ２０は、どの階層のグループにも属することができる。
【００３４】
次に、デバイスリスト表示部３２０は、ＰＣ１０の制御対象のアンプ２０のリストを示す表示部である。そして、デバイスリスト表示部３２０には、デバイス名表示部３２１とデバイスＩＤ表示部３２２とを設けており、これらの表示部に、各アンプの名称及びＩＤを表示する。また、デバイス名の脇には、デバイスを示すデバイスアイコン３２３も表示している。このアイコンは、グループ構成表示部３１０のデバイスアイコン３１４と同じものである。
【００３５】
なお、ＰＣ１０においては、デバイスリスト表示部３２０に表示されたデバイスは、必ずいずれかのグループに属させるようにしている。そして、属するグループが明示的に指定されてないデバイスは、グループ構成表示部３１０の最下部に表示される「Others」のグループに属すものとしている。
【００３６】
ここで、図６及び図７に、グループ設定画面３００におけるデバイスのグループへの登録例を示す。
グループ設定画面３００においては、図６に矢印で示すように、デバイスリスト表示部３２０に表示されたデバイスのデバイスアイコン３２３をドラッグして、そのデバイスを追加したいグループのグループアイコン３１２の位置でドロップすることにより、そのデバイスをそのグループに追加する指示をすることができる。
【００３７】
図６の操作の結果、図７に示すように、「001_Rack_#1」のグループに「003 : 003 Tx6n」のアンプ２０を示すエントリ３３０が追加され、操作に従ったグループ設定の変更がなされたことがわかる。
なお、各デバイスは同時に複数のグループに属することはできず、あるデバイスがあるグループに追加された場合、そのデバイスは、以前属していたグループからは離脱する。
また、ＰＣ１０とアンプ２０とが接続された状態でグループ設定の変更がなされた場合、ＰＣ１０は新たな所属グループの情報をアンプ２０に転送し、アンプ２０側のグループ設定情報を更新させる。
【００３８】
また、図示は省略するが、グループ構成表示部３１０においてはグループの追加と削除の操作も可能である。グループアイコン３１２を右クリックして表示されるメニューからグループの追加を選択すると、グループアイコン３１２が示すグループの下位に新たなグループを追加することができる。また、同メニューから削除を選択すると、グループアイコン３１２が示すグループを削除することができる。この場合、削除されていたグループに属するデバイスは、「Others」のグループに移動する。
【００３９】
ところで、ＰＣ１０においてグループが作成される際には、自動でＩＤが割り当てられる。しかし、このＩＤは、ユーザが任意に変更することが可能である。
図８に、この指示を行うためのグループＩＤ設定画面の表示例を示す。
ＰＣ１０は、上記のグループアイコン３１２を右クリックして表示されるメニューでグループＩＤの変更が選択されると、そのグループアイコン３１２と対応するグループについてのＩＤの設定指示を受け付けるための、図８に示すグループＩＤ設定画面４００を表示器１１１に表示させる。
【００４０】
このグループＩＤ設定画面４００においては、対象グループ表示部４０１，ＩＤ入力部４０２，ＯＫボタン４０３，キャンセルボタン４０４を設けている。
このうち対象グループ表示部４０１は、ＩＤを設定しようするグループの名称を表示する。図で強調表示されている「Stage_L」が設定対象のグループであり、そのグループの位置づけをわかりやすくするため、その上下の階層のグループの名称も表示している。
【００４１】
ＩＤ入力部４０２は、設定するＩＤの入力を受け付ける領域である。ここでは、ＩＤとしては０から６５５３５までの整数を用い、ユーザは、この範囲で所望の番号をＩＤ入寮部４０２にタイプ入力すればよい。
その後、ＯＫボタン４０３の押下によりＩＤの設定が確定し、キャンセルボタン４０４０が押下された場合、ＩＤの設定は行わずにグループ設定画面３００に戻る。
【００４２】
なお、グループ間でＩＤが連番になっている必要はないが、１つのグループの下位階層には、同じＩＤのグループは１つしか存在することはできない。例えば、グループ「FOH」の下位に既にグループＩＤが「１」のグループがある場合、グループ「FOH」の下位の他のグループにＩＤ「１」を設定することはできない。
また、各グループのグループＩＤは、ユーザの選択により、グループ設定画面３００に表示させることもできる。
【００４３】
図９にこの場合のグループ設定画面の表示例を示す。
ユーザがグループＩＤの表示を選択した場合、グループ構成表示部３１０において、各グループの名称の後ろに、カッコ付きの数字としてそのグループのＩＤを表示することが考えられる。
【００４４】
なお、ＰＣ１０及びアンプ２０において、各グループは、そのグループのＩＤ自体だけではなく、最上位から順にＩＤをハイフンでつないで記載することにより、特定するようにしている。この特定に用いる情報を、以後、「グループ特定情報」と呼ぶ。例えば、図９に示すグループ「Stage_L」の場合には、グループ特定情報は「０−０」であるし、グループ「001_Rack_#1」の場合には、グループ特定情報は「０−０−１」である。
【００４５】
また、この特定方式においては、グループ自体のＩＤが変化しなくても、上位グループのＩＤが変更された場合には、グループ特定情報が変化する。例えば、図９の例でグループ「Stage_L」のＩＤが「５」に変更された場合、グループ「001_Rack_#1」のグループ特定情報は「０−５−１」となる。
【００４６】
これらを考慮して、いずれかのグループのＩＤが変更された場合、そのグループに属するアンプ２０だけでなく、その変更に伴ってグループ特定情報が変化する下位のグループに属するアンプにも、グループ特定情報の変更を通知し、アンプ２０側のグループ設定情報を更新させる。
【００４７】
次に、アンプ２０における自機のグループ分けの設定方法について説明する。
まず、図１０に、アンプ２０が備える操作パネルの構成を示す。
アンプ２０が表示器２１３と操作子２１４を備えることは既に述べたが、操作パネルは、これらの表示器２１３と操作子２１４とを配置したパネルである。
より具体的には、操作パネル５００には、電源スイッチ５０１，液晶ディスプレイによる表示パネル５０２，ｃｈ操作子群５１０，５２０と、その他いくつかの操作子を設けている。
【００４８】
このうち、ｃｈ操作子群５１０，５２０は、それぞれアンプ２０が備える出力ｃｈに関する設定や表示を行うための操作子や表示器を集めた部分である。ｃｈ操作子群５１０，５２０には、出力レベルを設定するためのロータリーエンコーダ５１１，５２１及び、ミュートオンオフを設定するためのミュートボタン５１２，５２２を含むが、その詳細についてはこの実施形態の特徴と特に関係ないため、説明を省略する。
アンプ２０においては、以上のような操作パネルを操作することにより、自機の属するグループを設定することができる。
【００４９】
図１１及び図１２に、その設定時の表示画面の例を示す。これらの画面は、表示パネル５０２に表示されるＧＵＩである。
図１１に示すのは、グループカテゴリ選択画面６００である。この画面は、アンプ２０において所定の操作子を操作してグループの設定を行うモードに移行すると最初に表示される画面であり、どの種類のグループについて設定を行うかの選択を受け付ける画面である。
【００５０】
そして、ユーザが操作パネル５００上の操作子によりカーソル６０１を移動させて種類を選択し、次の画面への移行を指示すると、表示は図１２に示すグループ特定情報設定画面６１０へ移行する。
グループ特定情報設定画面６１０は、グループカテゴリ選択画面６００において選択された種類のグループにつき、アンプ２０が属するグループを示すグループ特定情報の設定を受け付ける画面である。
【００５１】
このグループ特定情報設定画面６１０においては、カーソル６１１を移動させながら、カーソル位置のＩＤをロータリーエンコーダ５１１，５２１の操作に従って増減させることにより、グループ特定情報を入力することができる。そして、所望の値を入力後、操作パネル５００上の操作子を操作してその値を確定させると、グループカテゴリ選択画面６００に戻る。
【００５２】
なお、ＰＣ１０の制御下にある場合には、ＰＣ１０側で定義されているグループしか設定できないようにしてもよいが、アンプ２０が単独で動作している場合には、ＰＣ１０側のグループ定義とは関係なく、任意のグループ特定情報を設定可能である。
また、アンプ２０においては、自機のデバイスＩＤも設定可能である。
【００５３】
図１３に、この設定を行うためのデバイスＩＤ設定画面の例を示す。
以上の各画面でグループやＩＤの設定がなされた場合、その時点でアンプ２０がＰＣ１０の制御下にある場合には、新たに設定された内容をＰＣ１０に送信し、ＰＣ１０側のプロジェクトデータの内容を、新たに設定された内容に更新させる。しかし、アンプ２０が単独で動作中に設定がなされた場合には、ＰＣ１０との通信はできないため、アンプ２０は、次にＰＣ１０と接続されるまで、ＰＣ１０側とは無関係に更新後のデータを保持する。
【００５４】
次に、ＰＣ１０が以上説明してきたアンプ２０の制御のために使用するデータについて説明する。
図１４は、ＰＣ１０が制御するアンプシステムの構成を示すプロジェクトデータの例を示す図である。
ＰＣ１０は、アンプシステムを構成する各アンプ２０を制御する際、この図に示すプロジェクトデータをＲＡＭ１０２に記憶させ、そのデータに従って制御を行う。また、このプロジェクトデータは、ＨＤＤ１０７等の記憶手段に記憶させておき、ユーザの指示に応じて読み出してＲＡＭ１０２に記憶させ、アンプ２０の制御に反映させることもできる。
【００５５】
また、このプロジェクトデータは、図１４に示すように、プロジェクト名称，ユーザ情報，各アンプ２０に関するアンプデータ，各アンプ管理装置２５に関するアンプ管理装置データ，グループ名データを含む。
このうち、プロジェクト名称は、プロジェクトデータの名称である。
ユーザ情報は、プロジェクトデータにアクセスを許可するユーザ等の権限情報を規定する情報である。
アンプデータは、ＰＣ１０が直接通信して制御するアンプ２０に関する情報を示すデータであり、アンプ１台につき、アンプデータを１セット設けている。
【００５６】
そして、このアンプデータの内容は、システム設定情報とパラメータ設定情報に大別される。
このうちシステム設定情報は、信号処理の内容とは直接関係しない、アンプ２０の管理に用いるデータである。そして、システム管理情報には、ＩＤ，ＩＰアドレス，出力ｃｈ数，グループ設定情報が含まれる。
【００５７】
このうちＩＤは、上述したアンプ２０のデバイスＩＤである。ＩＰアドレスは、ＰＣ１０がアンプ２０と通信する際に用いるアンプ２０のＩＰアドレスである。入出力ｃｈ数は、アンプ２０が備える入力ｃｈ及び出力ｃｈの数である。この情報は、出力ｃｈをグループ分けする種類のグループにおいて、いくつのｃｈについてグループ特定情報を用意するかを定める際に用いる。また、パラメータ設定情報について、いくつのｃｈについてのデータを用意するかを定める際にも用いる。
【００５８】
また、グループ設定情報は、上述した各種類のグループにつき、アンプ２０が属するグループを示すグループ特定情報のデータを含む。出力ｃｈをグループ分けする種類については、出力ｃｈ毎に、その出力ｃｈが属するグループを示すグループ特定情報のデータを含む。図の例では、「Feed st.」と「UD1」がこれに該当し、＃Ａ出力ｃｈ及び＃Ｂ出力ｃｈに関するデータが用意されている。このグループ設定情報が、グループ管理データである。
【００５９】
次に、パラメータ設定情報は、アンプ２０が備える各入力ｃｈ及び出力ｃｈにつき、そのｃｈでの信号処理に用いるパラメータの値を示すデータである。このデータには、例えば、入力レベル(Input Level)，ピークホールド値(Peak)，ミュートオンオフ(Mute)等が含まれる。
また、アンプ管理装置データは、ＰＣがアンプ管理装置２５を介して通信して制御するアンプ２６に関する情報及び、そのアンプ管理装置２５そのものの情報を示すデータであり、アンプ管理装置１台につき、アンプ管理装置データを１セット設けている。
【００６０】
そして、アンプ管理装置データには、アンプ管理装置２５のＩＤ及びＩＰアドレスを示すデータと、アンプ管理装置２５に接続された各アンプ２６に関する情報を示すアンプデータとが含まれる。図には、＃Ａと＃Ｂの２台のアンプに関するアンプデータが含まれる例を示している。なお、ここに含まれるアンプデータの構成も、上述したアンプ２０に関するアンプデータと同じである。
【００６１】
グループ名データは、グループの名称を表示するための文字列を示すデータである。そして、グループの種類毎に、各階層において作成されているグループの名称を、グループのＩＤ毎に表示している。なお、ＩＤが連番である必要はない。また、図１４に示したデータは、図５等の内容とは一致しないし、図示の都合上、一部のグループについてのみのデータを示している。実際には、作成されている全てのグループについて、階層，ＩＤ，名称及び上下関係が明らかとなるようなデータを用意する。
【００６２】
また、プロジェクトデータに含まれるアンプデータは、そのままアンプ２０（又はアンプ管理装置２５若しくはアンプ２６）に記憶させて、アンプ２０に自身の制御に使わせることができる。
すなわち、図１５に示すように、アンプ２０は、自身のアンプデータを記憶している。
【００６３】
そして、このうちパラメータ設定情報に基づき、自身が実行する信号処理の内容を制御する。また、システム設定情報は、ＰＣ１０による制御を受ける際に使用する。アンプ装置２０側のアンプデータにおけるグループ設定情報は、グループデータに該当する。
なお、図示は省略したが、アンプ管理装置２５は、図１４に示したアンプ管理装置データと同じ形式のデータを記憶し、必要に応じてアンプ２６にそのアンプのアンプデータを設定する。
【００６４】
アンプ２０側のアンプデータの内容は、ＰＣ１０による制御を受けている状態では、ＰＣ１０側と同期が取られ、プロジェクトデータに含まれる自機のアンプデータと同じ内容となるようにしている。しかし、上述の通り、アンプ２０が単独で動作している間に変更された場合には、ＰＣ１０側のデータと一致しなくなる場合もある。
また、ＰＣ１０が単独で動作している場合にもプロジェクトデータを編集することが可能であり、この場合にも、アンプデータをアンプ２０側とは無関係に変更されることになる。
【００６５】
この実施形態の主な特徴は、このように、ＰＣ１０側とアンプ２０側とで独立してアンプデータの編集がなされ、その内容が一致しなくなった場合、あるいは、そもそも全く接点のなかったＰＣ１０とアンプ２０とを接続して制御を開始しようとする場合に、ＰＣ１０側とアンプ２０側とでアンプデータの内容を整合させる処理を行う点である。次に、この整合のための処理について説明する。
【００６６】
以下に説明する処理において、ＰＣ側処理は、ＰＣ１０のＣＰＵ１０１が所要のプログラムを実行することにより行うものであり、アンプ側処理は、アンプ２０（又はアンプ管理装置２５若しくはアンプ２６）のＣＰＵが所要のプログラムを実行することにより行うものである。
【００６７】
まず、図１６に、アンプ制御開始時の処理のフローチャートを示す。
ＰＣ１０のＣＰＵ１０１は、プロジェクトデータ（現在制御に使用中のものでも、ＨＤＤ１０７等に記憶されているものでもよい）を指定され、そのプロジェクトデータを用いたアンプ２０の制御を開始する指示を受けると、図１６のフローチャートに示す処理を開始する。
【００６８】
そして、まず、自機から通信可能な範囲にあり、かつ自機から制御可能な（自機の持つ制御機能に対応した）アンプを検索する（Ｓ１１）。この検索では、アンプ２０もアンプ２６もヒットするが、アンプ２６については、アンプ管理装置２５が代理で検索を受け、アンプ２６のデータを返してもよい。以下の処理についても、同様にアンプ管理装置２５がアンプ２６を代理して通信を行ってもよい。
【００６９】
次に、ＣＰＵ１０１は、ステップＳ１１で発見した各アンプ２０に、そのアンプ２０が記憶するアンプデータの送信を要求する（Ｓ１２）。これに対し、アンプ２０のＣＰＵは図１６の右側のフローチャートに示す処理を開始し、自機の記憶するアンプデータを要求元に送信する（Ｓ３１）。
【００７０】
一方、ＣＰＵ１０１は、ステップＳ１１で発見した各アンプからアンプデータを取得すると（Ｓ１３）、有効にする（制御に使用する）プロジェクトデータの内容も取得する（Ｓ１４）。そして、プロジェクトデータに含まれるアンプデータと、各アンプから取得したアンプデータとを比較する（Ｓ１５）。
そして、その内容が全く同じであった場合には（Ｓ１６）、ＰＣ１０側とアンプ２０側の整合性を取る必要がないため、そのままステップＳ１４で取得したプロジェクトデータに基づいてアンプ２０の制御を開始し（Ｓ２２）、処理を終了する。
【００７１】
しかし、ステップＳ１６で内容が一部でも異なった場合には、ＰＣ１０側とアンプ２０側とでデータの整合性を取るため、ステップＳ１７以降の処理に進む。ここで、アンプデータの内容自体が一致していたとしても、ＰＣ１０側とアンプ２０側のどちらかのアンプデータが余るような場合にも、ステップＳ１６の判断はＮＯとする。
そして、この場合、ユーザからＰＣ１０側とアンプ２０側のどちらの設定を優先させるかの指示を受け付け（Ｓ１７）、その指示内容に応じた処理を行う。
【００７２】
図１７に、この指示を受け付けるための同期モード選択画面の例を示す。
この同期モード選択画面７００においては、モード選択部７０１で、ＰＣ１０側の設定を優先させるか、アンプ２０側の設定を優先させるかの選択を受け付ける。そして、ユーザがどちらかを選択した上でＯＫボタン７０２を押下した場合、その選択がなされたものとする。また、キャンセルボタン７０３が押下された場合、制御の中止が選択されたものとする。
【００７３】
図１６の説明に戻る。
ＣＰＵ１０１は、ステップＳ１８でいずれの選択がなされたかを判断し、アンプが選択された場合には、図１８に示すアンプ側設定内容反映処理を実行し（Ｓ１９）、ＰＣが選択された場合には、図１９に示すＰＣ側設定内容送信処理を実行する（Ｓ２０）。そして、これらの場合には、これらの処理後のプロジェクトデータに基づいてアンプ２０の制御を開始し（Ｓ２１）、処理を終了する。
【００７４】
また、ステップＳ１８で中止が選択された場合には、プロジェクトデータに基づく制御は中止して、そのまま処理を終了する。
以上の図１６の処理は、整合手段の機能と対応する処理であり、ＣＰＵ１１は、ステップＳ１２，Ｓ１３ではグループデータ取得手段として、ステップＳ１５では比較手段として機能する。
【００７５】
ここで、図１８に、図１６のステップＳ１９で実行するアンプ側設定内容反映処理のフローチャートを示す。この処理は、アンプ装置優先方式でアンプデータの整合を取る処理に該当する。
この処理において、ＣＰＵ１０１はまず、プロジェクトデータ中のアンプデータを全てクリアする（Ｓ４１）。その後、ステップＳ１３で取得したアンプデータの１つを処理対象とし（Ｓ４２）、そのアンプデータをプロジェクトデータに追加する（Ｓ４３）。そして、処理対象のアンプデータ中のグループ設定情報が示すグループが、プロジェクトデータにおいてまだ定義されていない場合、すなわちグループＩＤと対応するグループ名がグループ名データ内にない場合（Ｓ４４のＮＯ）、未定義のグループに関するデータをグループ名データに追加する（Ｓ４５）。この際、グループの名称は自動生成する。ステップＳ４４でＹＥＳの場合、この処理は必要ない。
【００７６】
そして、いずれの場合も、まだ処理対象としていないアンプデータのある間は（Ｓ４６）、次のアンプデータを処理対象として（Ｓ４７）、ステップＳ４３からの処理を繰り返す。そして、全てのアンプデータを処理対象とし、プロジェクトデータに追加が完了すると（Ｓ４７のＮＯ）、図１６の処理に戻る。
【００７７】
以上の処理により、各アンプ２０から取得したアンプデータの内容に従ってプロジェクトデータを更新することができる。従って、ＰＣ１０側とアンプ２０側とでアンプデータの内容を整合させることができる。
このモードは、既にアンプ装置２０においてある程度適切な設定がなされている環境に新たにＰＣ１０を接続するような場合に有効である。例えば、機器のセットをレンタルして、その機器を自分のＰＣを用いて制御するような場合である。
【００７８】
なお、ステップＳ４１において、グループ名データも全てクリアするようにしてもよい。この場合、グループ定義も、各アンプ２０から取得したアンプデータの内容に従って完全に更新される。
また、アンプ管理装置２５がある場合、ステップＳ１３でアンプ管理装置のＩＤやＩＰアドレスを取得しておき、ステップＳ４３において、アンプ管理装置データを作成して、その中に、アンプ２６のアンプデータを追加するようにするとよい。
【００７９】
次に、図１９に、図１６のステップＳ２０で実行するＰＣ側設定内容送信処理のフローチャートを示す。この処理は、制御装置優先方式でアンプデータの整合を取る処理に該当する。
この処理において、ＣＰＵ１０１はまず、プロジェクトデータ中の最初のアンプデータを処理対象とする（Ｓ５１）。そして、自機から制御可能な範囲（Ｓ１１の検索結果を利用してよい）に処理対象のアンプデータのＩＤ及びＩＰアドレスと一致するアンプ２０があるか否か判断する（Ｓ５２）。
【００８０】
ここで、該当のアンプがある場合、該当のアンプに処理対象のアンプデータを送信し、そのアンプのアンプデータとして記憶させる（Ｓ５３）。これに対し、送信先のアンプ２０のＣＰＵは図１９の右側のフローチャートに示す処理を開始し、受信したアンプデータを自機のアンプデータとして設定し、設定結果を返信する（Ｓ６２）。
【００８１】
ＣＰＵ１０１は、この返信に基づいて設定の成否を判断する（Ｓ５４）。ここで成功であった場合、プロジェクトデータ内にまだ処理対象としていないアンプデータのある間は（Ｓ５７）、次のアンプデータを処理対象として（Ｓ５８）、ステップＳ５２からの処理を繰り返す。また、ステップＳ５４で失敗であった場合、エラー処理（Ｓ５５）を行った後、同様に処理を繰り返す。
【００８２】
また、ステップＳ５２で一致するアンプがなかった場合には、処理対象のアンプデータを無効にして（Ｓ５６）、同様に処理を繰り返す。この場合、処理対象のアンプデータをアンプ２０の制御に用いないようにすればよく、完全に消去してしまう必要はない。
そして、全てのアンプデータを処理対象として処理が完了すると（Ｓ５７のＮＯ）、図１６の処理に戻る。
【００８３】
以上の処理により、アンプデータを取得できたアンプ装置２０、すなわちＰＣ１０から通信可能であって制御対象となり得るアンプ装置２０に対し、プロジェクトデータのうちそのアンプと対応するアンプデータを送信して設定させることができる。従って、プロジェクトデータに含まれていたデータの範囲で、ＰＣ１０側とアンプ２０側とでアンプデータの内容を整合させることができる。
【００８４】
なお、対応するアンプ２０のないアンプデータについては、アンプの制御に使用しないようにしているため、ＰＣ１０側にアンプデータがあるのに、制御対象のアンプが存在しない、という事態も発生しない。
制御対象となり得るアンプ２０があってもＰＣ１０側にアンプデータがないため制御できない、という事態は発生する。しかし、この場合には、図１６の処理を終了した後で、アンプの新規追加の場合と同様に、まだアンプデータのないアンプ２０から個別にアンプデータを取得してプロジェクトデータに組み入れ、制御対象とすればよい。
【００８５】
このモードは、一旦アンプ装置２０の環境に合わせてプロジェクトデータを作成した後、ＰＣ１０を取り外して持ち帰り、ＰＣ１０側でグループやパラメータの編集を行い、次に同じ環境のアンプ装置２０を制御する際に、ＰＣ１０側で編集した内容を制御に反映させたいような場合に有効である。
【００８６】
以上説明してきたアンプシステムによれば、ＰＣ１０がアンプ２０の制御を開始する際に、ＰＣ１０とアンプ２０との間で少なくともグループに関する設定内容について自動で整合を取って制御を開始できるため、アンプ制御装置から多数のアンプを集中制御する場合でも、アンプのグループ化について、自由度の高い設定を少ない労力で行うことができる。すなわち、ＰＣ１０側でもアンプ２０側でもユーザにとって好ましい装置でグループの設定を行い、ＰＣ１０による制御の内容に反映させることができる。
【００８７】
なお、ここで説明したアンプシステムにおいては、グループの名称はＰＣ１０側で一元管理し、アンプ２０においてはグループＩＤのみで所属グループを設定するようにしているため、アンプ２０におけるグループの設定操作を簡単なものにすることができる。また、整合を取る際にも、グループ名を考慮しなくてよいため、整合の処理を単純なものにすることができる。
【００８８】
以上でこの実施形態の説明を終了するが、システムや装置の構成、画面の構成、データの構成、具体的な処理内容、操作方法等が上述の実施形態で説明したものに限られないことはもちろんである。
例えば、グループ設定画面３００におけるグループ設定の操作方法が、上述の実施形態と異なるものであってもよい。
【００８９】
この例としては、図２０に示すように、デバイスリスト表示部３２０に各デバイスと対応するチェックボックス３２４を設けることが考えられる。そして、グループ構成表示部３１０において、所望のグループのグループアイコン３１２を選択した後（図ではグループ「001_Rack_#1」が選択されている）そのグループに属させたいデバイスのチェックボックス３２４をオンにすることにより、そのデバイスをそのグループに属させるようにするとよい。また、グループアイコン３１２が選択された時点で、デバイスリスト表示部３２０において、そのグループに属するデバイスと対応するチェックボックス３２４のみをオンにするようにするとよい。
【００９０】
また、上述した実施形態においては、ネットワーク６０やシリアル通信ケーブルとオーディオケーブルとを別々に設ける例について説明したが、ネットワーク６０やシリアル通信ケーブルにより接続されている機器の範囲では、これらを経由してオーディオ波形データを転送するようにしてもよい。図１の例の場合、ミキサ４０と各アンプ２０，２６との間が、これに該当する。
【００９１】
また、上述した実施形態において、整合方式はＰＣ側優先とアンプ側優先のみであったが、これら以外の方式を選択できるようにしてもよい。
また、アンプ２０の１台当たりのｃｈ数が２に限られないことも、もちろんである。
また、グループの階層数は３に限られないし、グループの種類に応じて階層数が異なっていてもよい。
【００９２】
また、上述した実施形態において、プロジェクトデータ内のアンプデータと、アンプ２０に記憶させるアンプデータとが同じ形式であるとして説明したが、これらのデータ形式が異なるものであってもよい。なおこの場合、アンプ２０側のアンプデータに基づいてプロジェクトデータに含めるアンプデータを作成したり、ＰＣ１０側からアンプデータを送信してアンプ装置２０に設定させたりする際には、必要に応じてデータ形式の変換処理を行う。
また、以上述べてきた構成及び変形例は、矛盾しない範囲で適宜組み合わせて適用することも可能である。
【産業上の利用可能性】
【００９３】
以上の説明から明らかなように、以上のようなこの発明のアンプ制御装置、アンプシステム又はプログラムによれば、アンプ制御装置から多数のアンプを集中制御する場合でも、アンプのグループ化について、自由度の高い設定を少ない労力で行えるようにすることができる。
従って、この発明を適用することにより、操作性のよいアンプシステムを提供することができる。
【図面の簡単な説明】
【００９４】
【図１】この発明のアンプ制御装置の実施形態であるＰＣを含む、アンプシステムの構成を示すブロック図である。
【図２】図１に示したＰＣのハードウェア構成を示す。
【図３】図１に示したアンプのハードウェア構成を示す図である。
【図４】図１に示したアンプ管理装置のハードウェア構成を示す図である。
【図５】グループ設定画面の表示例を示す図である。
【００９５】
【図６】グループ設定画面におけるデバイスのグループへの登録例を示す図である。
【図７】その続きを示す図である。
【図８】グループＩＤ設定画面の表示例を示す図である。
【図９】グループ設定画面の別の表示例を示す図である。
【図１０】図１に示したアンプが備える操作パネルの構成を示す図である。
【００９６】
【図１１】グループカテゴリ選択画面の表示例を示す図である。
【図１２】グループ特定情報設定画面の表示例を示す図である。
【図１３】デバイスＩＤ設定画面の表示例を示す図である。
【図１４】ＰＣが使用するプロジェクトデータの例を示す図である。
【図１５】アンプが使用するアンプデータの例を示す図である。
【００９７】
【図１６】アンプ制御開始時にＰＣのＣＰＵが実行する処理のフローチャートである。
【図１７】同期モード選択画面の表示例を示す図である。
【図１８】図１６のステップＳ１９で実行するアンプ側設定内容反映処理のフローチャートである。
【図１９】図１６のステップＳ２０で実行するＰＣ側設定内容送信処理のフローチャートである。
【図２０】グループ設定画面におけるグループ設定の操作方法の変形例について説明するための図である。
【符号の説明】
【００９８】
１０…ＰＣ、２０，２６…アンプ、２５…アンプ管理装置、３０…ＳＰ、４０…ミキサ、５０…マイク、６０…ネットワーク、３００…グループ設定画面、４００…グループＩＤ設定画面、５００…操作パネル、６００…グループカテゴリ選択画面、６１０…グループ特定情報設定画面
【図１】
0004900291.tif 000002
【図２】
0004900291.tif 000003
【図３】
0004900291.tif 000004
【図４】
0004900291.tif 000005
【図５】
0004900291.tif 000006
【図６】
0004900291.tif 000007
【図７】
0004900291.tif 000008
【図８】
0004900291.tif 000009
【図９】
0004900291.tif 000010
【図１０】
0004900291.tif 000011
【図１１】
0004900291.tif 000012
【図１２】
0004900291.tif 000013
【図１３】
0004900291.tif 000014
【図１４】
0004900291.tif 000015
【図１５】
0004900291.tif 000016
【図１６】
0004900291.tif 000017
【図１７】
0004900291.tif 000018
【図１８】
0004900291.tif 000019
【図１９】
0004900291.tif 000020
【図２０】
0004900291.tif 000021